(57)【特許請求の範囲】
【請求項１】
一面側に複数の第一端子盤を水平方向に並設させてなる水平端子盤群を複数段有すると共に、他面側に複数の第二端子盤を垂直方向に並設させてなる垂直端子盤群を複数列有する本配線盤で、前記一面側では水平方向に配線されると共に前記他面側では垂直方向に配線されるジャンパ線を介して前記第一端子盤と前記第二端子盤とを接続する際に用いられるジャンパ線搬送装置であって、
前記水平端子盤群に沿って延在しており、前記ジャンパ線の先端を保持してこの水平端子盤群に属する前記各第一端子盤に沿って往復移動可能な第一移動体を有する第一搬送機構と、
前記第一搬送機構に並設されており、前記ジャンパ線を摺動自在に保持して前記水平端子盤群に属する前記各第一端子盤に沿って往復移動可能な第二移動体を有する第二搬送機構と、
前記ジャンパ線を、所定の長さに設定すると共に、前記第一移動体と前記第二移動体とに保持させるジャンパ線供給機構とを備えることを特徴とするジャンパ線搬送装置。
【請求項２】
前記第一搬送機構と前記第二搬送機構とは、前記各水平端子盤群毎に設けられていることを特徴とする請求項１に記載のジャンパ線搬送装置。
【請求項３】
前記第一移動体は、着脱自在な第一ジャンパ線保持体を有し、この第一ジャンパ線保持体に前記ジャンパ線の先端を保持させ、前記第一移動体を接続対象となる前記第一端子盤に対応する位置まで移動させると共に、前記第一ジャンパ線保持体を前記第一移動体から離脱させることを特徴とする請求項１又は２に記載のジャンパ線搬送装置。
【請求項４】
前記第一搬送機構には、所定間隔を隔てて位置決めポストが設けられると共に、前記第一ジャンパ線保持体は、前記第一移動体が前進する際には前記位置決めポストと係合せず、前記第一移動部材が後進する際には前記位置決めポストと係合する掛止部材を有することを特徴とする請求項３に記載のジャンパ線搬送装置。
【請求項５】
前記第二移動体は、着脱自在な第二ジャンパ線保持体を有し、この第二ジャンパ線保持体に前記ジャンパ線を摺動自在に保持させ、接続対象となる前記第二端子盤が属する前記垂直端子盤群と接続対象となる前記第一端子盤が属する前記水平端子盤群とが立体交差する位置まで、前記第二移動体を移動させると共に、前記第二ジャンパ線保持体を前記第二移動体から離脱させることを特徴とする請求項１〜４の何れかに記載のジャンパ線搬送装置。
【請求項６】
前記第二搬送機構には、所定間隔を隔てて位置決めポストが設けられると共に、前記第二ジャンパ線保持体は、前記第二移動体が前進する際には前記位置決めポストと係合せず、前記第二移動部材が後進する際には前記位置決めポストと係合する掛止部材を有することを特徴とする請求項５に記載のジャンパ線搬送装置。
【請求項７】
前記第二移動体に前記ジャンパ線を摺動自在に保持させ、前記第二移動体を接続対象となる前記第二端子盤が属する前記垂直端子盤群と接続対象となる前記第一端子盤が属する前記水平端子盤群とが立体交差する位置まで移動させることを特徴とする請求項１〜４の何れかに記載のジャンパ線搬送装置。
【請求項８】
前記第一移動体及び前記第二移動体は、前記第一搬送機構及び前記第二搬送機構に含まれる巻掛け伝動機構によって駆動されることを特徴とする請求項１〜７の何れかに記載のジャンパ線搬送装置。
【請求項９】
前記ジャンパ線供給機構は、
前記ジャンパ線を収容するジャンパ線収容部と、
前記ジャンパ線収容部から前記ジャンパ線を引き出して移送ボビンに巻回すると共に、前記ジャンパ線を所定長さに切断するジャンパ線移載部と、
前記移送ボビンを所定の前記水平端子盤群まで垂直方向に搬送すると共に、前記第一移動体と前記第二移動体とに前記ジャンパ線を保持させるジャンパ線受渡部とを含む請求項１〜８の何れかに記載のジャンパ線搬送装置。
【請求項１０】
前記ジャンパ線移載部は、前記ジャンパ線にタグを取り付けると共にこのタグを前記移送ボビンに固定し、前記ジャンパ線受渡部は、前記タグを前記第一移動体に保持させることを特徴とする請求項９に記載のジャンパ線搬送装置。
【請求項１１】
前記タグには、ジャンパ線接続作業を行う際に用いる情報が記録されていることを特徴とする請求項１０に記載のジャンパ線搬送装置。
【発明の詳細な説明】
【０００１】
【発明の属する技術分野】
本発明は、電話局舎内等に設置された本配線盤で端子盤間をジャンパ線によって接続する際に用いられるジャンパ線搬送装置に関する。
【０００２】
【従来の技術】
一般的な電話回線システムにおいては、加入者宅から電話局まで布設された線路ケーブルは、電話局舎内に設置されている本配線盤に成端される。このような一般的な本配線盤の一例を図１４に示す。同図に示すように、本配線盤１は、ラック状に構成された高さ３．５ｍ程度、幅１ｍ程度の架枠ユニットを水平方向に複数集合させた架枠２を備えると共に、線路ケーブル及び電話局舎内に配備されている電話交換機等の局内設備（何れも図示せず）を成端するための端子盤を多数有する。本配線盤１の一面側は、複数の線路側端子盤３（第一端子盤）を水平方向に並設させてなる水平端子盤群４が複数段にわたって設けられた線路側成端部Ｈとされている。この線路側成端部Ｈにおける各線路側端子盤３には、各加入者宅から布設された線路ケーブルの端末が成端される。一方、本配線盤１の他面側は、複数の局内側端子盤５（第二端子盤）を垂直方向に並設させてなる垂直端子盤群６が複数列にわたって設けられた局内側成端部Ｖとされている。この局内側成端部Ｖにおける各局内端子盤５には、電話交換機等の局内設備が局内ケーブル７を介して成端される。
【０００３】
このような本配線盤１においては、線路側端子盤３の端子と局内側端子盤５の端子とはジャンパ線８を介して接続される。この場合、ジャンパ線８は、線路側成端部Ｈでは専ら水平に配線される。すなわち、何れかの線路側端子盤３に結線されたジャンパ線８は、この線路側端子盤３が属する水平端子盤群４に沿って配線され、この水平端子盤群４と接続対象となる局内側端子盤５が属する垂直端子盤群６とが立体交差する位置まで運ばれる。そして、ジャンパ線８は線路側成端部Ｈと局内側成端部Ｖとの間に設けられた整線リングを介して線路側成端部Ｈ側から局内側成端部Ｖ側に受け渡される。局内側成端部Ｖ側に渡されたジャンパ線８は、接続対象となる局内側端子盤５が属する垂直端子盤群６に沿って専ら垂直に配線され、この局内端子盤５に結線される。このようにして、一の加入者宅に一の電話番号が割り当てられることになる。
【０００４】
また、例えば、ある加入者が局番同一の地域内で転居したような場合、その加入者に割り当てられる電話番号は変更されないが、本配線盤における線路側端子盤のアドレス（位置）は変更になる。このような場合、それまで配線されていたジャンパ線を除去した上で（可能であれば）、その加入者の新たな住居（転居先）から布設された線路ケーブルが成端されている線路側端子盤と、元の局内側端子盤とをジャンパ線によって再接続する。同様に、諸般の理由によってある加入者宅の電話番号を変更する場合には、その加入者宅から布設された線路ケーブルが成端されている線路側端子盤と、新たな電話番号に対応する局内側端子盤とをジャンパ線によって再接続する。
【０００５】
【発明が解決しようとする課題】
上述したジャンパ線接続作業は、複数の作業員によって行われる。しかしながら、作業員は、接続に用いるジャンパ線の計尺、接続対象となる端子盤間へのジャンパ線の搬送、接続対象となる端子盤の表示、端子盤とジャンパ線との結線といった多数の作業を行わなければならない。また、一般的な本配線盤は小規模なものであっても１０ｍ程度の横幅（水平端子盤群の延在方向における長さ）をもち、大規模なものでは５０ｍ程度の横幅を有する。従って、線路側成端部Ｈ側でジャンパ線を配線する場合、作業員はジャンパ線を搬送するために、その都度、ジャンパ線を保持して水平方向に移動しなければならない。特に、線路側成端部Ｈの上部で配線作業を行う場合、その都度、梯子等を掛け渡す必要が生じるので、この作業は極めて煩雑なものとなる。従って、ジャンパ線接続作業に要する時間、作業員の労力等は極めて多大であり、作業の省力化という点において課題が存在していた。
【０００６】
このようなジャンパ線接続作業に要する労力を軽減するための技術としては、実開昭６０−１５７８４６号公報によって開示された本配線盤用プラットホームや、実開昭６１−１８４３８９号公報によって開示されたジャンパ線送り装置等も知られている。しかしながら、上記本配線盤用プラットホームは、単に作業員のための作業台として機能するものに過ぎない。また、上記ジャンパ線送り装置は、水平端子盤群に沿ってベルトを張設し、このベルトにジャンパ線を固定すると共に、ベルトを手動で送ることによりジャンパ線を搬送するものである。従って、これらの装置を用いたとしても、依然として作業員は、ジャンパ線の計尺、搬送等の作業を行わなければならず、ジャンパ線接続作業の省力化は達成されていない。
【０００７】
そこで、本発明は、ジャンパ線接続作業の大幅な省力化を可能とするジャンパ線搬送装置の提供を目的とする。
【０００８】
【課題を解決するための手段】
請求項１に記載の本発明に係るジャンパ線搬送装置は、一面側に複数の第一端子盤を水平方向に並設させてなる水平端子盤群を複数段有すると共に、他面側に複数の第二端子盤を垂直方向に並設させてなる垂直端子盤群を複数列有する本配線盤で、一面側では水平方向に配線されると共に他面側では垂直方向に配線されるジャンパ線を介して第一端子盤と第二端子盤とを接続する際に用いられるジャンパ線搬送装置であって、一面側で水平端子盤群に沿って延在しており、ジャンパ線の先端を保持してこの水平端子盤群に属する各第一端子盤に沿って往復移動可能な第一移動体を有する第一搬送機構と、第一搬送機構に並設されており、ジャンパ線を摺動自在に保持して水平端子盤群に属する各第一端子盤に沿って往復移動可能な第二移動体を有する第二搬送機構と、ジャンパ線を、所定の長さに設定すると共に、第一移動体と第二移動体とに保持させるジャンパ線供給機構とを備えることを特徴とする。
【０００９】
このジャンパ線搬送装置は、本配線盤上で、所望の第一端子盤と第二端子盤とをジャンパ線によって接続するに際して、接続対象となる第一端子盤と第二端子盤とに対応させてジャンパ線を搬送するためのものである。この場合、まず、ジャンパ線供給機構を作動させて、ジャンパ線を所定の長さに設定すると共に第一搬送機構の第一移動体と第二搬送機構の第二移動体とに保持させる。この際、ジャンパ線は、先端が第一移動体に固定されると共に、第一移動体の側方に引きまわされて第二移動部材に摺動自在に保持される。
【００１０】
この状態で、第一搬送機構と第二搬送機構とをそれぞれ独立に作動させ、第一移動体と第二移動体とを移動させる。第一移動体と第二移動体とは、それぞれ、水平端子盤群に属する各第一端子盤に沿って並走する。ジャンパ線は、第二移動体によって案内された状態で、第一移動体によって牽引されて各第一端子盤に沿って移動する。そして、例えば、接続対象となる第一端子盤の正面で、第一移動体を停止させる。また、接続対象となる第二端子盤が属する垂直端子盤群と接続対象となる第一端子盤が属する水平端子盤群とが立体交差する位置で、第二移動体を停止させる。
【００１１】
これにより、本配線盤の一面側において、接続対象となる第一端子盤と第二端子盤とに対応させたジャンパ線の搬送が完了する。すなわち、作業員は、第一端子盤とジャンパ線との結線と、本配線盤の他面側における配線及び第二端子盤とジャンパ線との結線とを行うだけでよい。この結果、接続に用いるジャンパ線の計尺、及び、接続対象となる端子盤間へのジャンパ線の搬送という行為が不要となり、本配線盤におけるジャンパ線接続作業に要する労力を低減させることができ、ジャンパ線接続作業、とりわけ、ジャンパ線延線・敷設作業を効果的に省力化することができる。また、このジャンパ線搬送装置は、既設の本配線盤に容易に取り付けることができる。
【００１２】
ここで、第一搬送機構と第二搬送機構とは、各水平端子盤群毎に設けると好ましい。このような構成を採用すれば、ジャンパ線搬送作業を各水平端子盤群単位で行うことができるので、ジャンパ線接続作業に要する時間及び労力を大幅に低減させることができ、ジャンパ線接続作業を極めて効果的に省力化することができる。また、各水平端子盤群に対するジャンパ線搬送作業を並行して行うことにより、ジャンパ線搬送・敷設作業に要する時間を効果的に短縮化することができる。
【００１３】
また、第一移動体に着脱自在な第一ジャンパ線保持体を設け、この第一ジャンパ線保持体にジャンパ線の先端を保持させ、第一移動体を接続対象となる第一端子盤に対応する位置まで移動させると共に、第一ジャンパ線保持体を第一移動体から離脱させると好ましい。このような構成のもとでは、ジャンパ線の先端は、第一ジャンパ線保持体と共に、接続対象となる第一端子盤付近に位置決めされる。そして、ジャンパ線の先端を第一ジャンパ線保持体から取り外し、ジャンパ線と第一端子盤とを結線させる。
【００１４】
この場合、第一搬送機構に所定間隔を隔てて位置決めポストを設けると共に、第一ジャンパ線保持体に、第一移動体が前進する際には位置決めポストと係合せず、第一移動部材が後進する際には位置決めポストと係合する掛止部材を設けると好ましい。このような構成のもとでは、例えば、位置決めポストを各第一端子盤に対応させて配置する。そして、第一移動体を接続対象となる第一端子盤に対応する位置まで移動（前進）させた後に、第一移動体を逆方向に移動（後進）させる。これにより、第一ジャンパ線保持体の掛止部材が、接続対象となる第一端子盤に対応する位置決めポストと係合する。この状態で、第一移動体を更に逆方向に移動させて初期位置に戻せば、第一ジャンパ線保持体は第一移動体から離脱し、ジャンパ線の先端は、第一ジャンパ線保持体と共に、接続対象となる第一端子盤付近に位置決めされることになる。
【００１５】
同様に、第二移動体に着脱自在な第二ジャンパ線保持体を設け、この第二ジャンパ線保持体にジャンパ線を摺動自在に保持させ、接続対象となる第二端子盤が属する垂直端子盤群と接続対象となる第一端子盤が属する水平端子盤群とが立体交差する位置まで第二移動体を移動させると共に、第二ジャンパ線保持体を第二移動体から離脱させると好ましく、第二搬送機構に所定間隔を隔てて位置決めポストを設けると共に、第二ジャンパ線保持体に、第二移動体が前進する際には位置決めポストと係合せず、第二移動部材が後進する際には位置決めポストと係合する掛止部材を設けると好ましい。これにより、第一移動体の動作とは別に、第二移動体を独立に作動させることができ、第一移動体と第二移動体との動作が互いに干渉し合うことがない。
【００１６】
一方、第二移動体にジャンパ線を摺動自在に保持させ、第二移動体を接続対象となる第二端子盤が属する垂直端子盤群と接続対象となる第一端子盤が属する水平端子盤群とが立体交差する位置まで移動させてもよい。すなわち、この場合は、移動させた第二移動体を、接続対象となる第二端子盤が属する垂直端子盤群と接続対象となる第一端子盤が属する水平端子盤群とが立体交差する位置で停止させる。そして、接続対象となる第二端子盤に対するジャンパ線の配線、結線を行うまでは、ジャンパ線を第二移動体に保持させたままにしておく。
【００１７】
また、第一移動体及び第二移動体は、第一搬送機構及び第二搬送機構に含まれる巻掛け伝動機構によって駆動されるものとすると好ましい。このような構成を採用すれば、第一移動体及び第二移動体を駆動するための機構を特に高さ方向においてコンパクト化することができる。また、第一移動部材及び第二移動部材（第一ジャンパ線保持体及び第二ジャンパ線保持体）とジャンパ線とを巻掛け伝動機構とから容易に離隔させることができるので、ジャンパ線の搬送中に、ジャンパ線が巻掛け伝動機構と接触して切断、破断することを防止することができる。
【００１８】
更に、ジャンパ線供給機構は、ジャンパ線を収容するジャンパ線収容部と、ジャンパ線収容部からジャンパ線を引き出して移送ボビンに巻回すると共に、ジャンパ線を所定長さに切断するジャンパ線移載部と、移送ボビンを所定の水平端子盤群まで垂直方向に搬送すると共に、第一移動体と第二移動体とにジャンパ線を保持させるジャンパ線受渡部とを含むと好ましく、ジャンパ線移載部は、ジャンパ線にタグを取り付けると共にこのタグを移送ボビンに固定し、ジャンパ線受渡部は、タグを第一移動体に保持させると好ましい。このような構成を採用すれば、ジャンパ線搬送・敷設作業を連続的かつ自動的に行うことができ、また、ジャンパ線搬送装置の大型化を防止できる。更に、既設の本配線盤に対する取付性を一層向上させることができる。この場合、タグをジャンパ線及び移送ボビンに対し固定できるように、タグにスリット等を設けるとよい。
【００１９】
また、タグには、ジャンパ線接続作業を行う際に用いる情報を記録すると好ましい。このような構成のもとでは、接続対象となる第一端子盤及び第二端子盤の本配線盤におけるアドレスや、所定のバーコード等をタグに記録しておく。これにより、作業員は、ジャンパ線を各端子盤と結線させる際に、タグに記録された作業情報を読み取りながら作業を進めることができるので、誤結線が防止される。また、結線作業等の際に、その都度作業指示書等を参照・確認する必要がなくなるので、作業効率を向上させることができる。
【００２０】
【発明の実施の形態】
以下、図面と共に本発明によるジャンパ線搬送装置の好適な実施形態について詳細に説明する。
【００２１】
図１は、本発明によるジャンパ線搬送装置の全体構成を示す平面図である。同図は、ジャンパ線搬送装置１０を（同図において実線で示す）図１４に示した一般的な本配線盤１に取り付けた例を示すものである。すなわち、本配線盤１の一面側は、複数の線路側端子盤３（第一端子盤）を水平方向に並設させてなる水平端子盤群４を複数段有する線路側成端部Ｈとされ、その他面側は、複数の局内側端子盤５（第二端子盤）を垂直方向に並設させてなる垂直端子盤群６を複数列有する局内側成端部Ｖ（図１では図示省略）とされている。この本配線盤１上では、各線路側端子盤３と、各局内側端子盤５とに対して所定のアドレスが割り当てられている（例えば、線路側端子盤３に対してＨ１２３××、局内側端子盤５に対してＶ６７８××といったように割り当てられる）。ジャンパ線８によって何れかの線路側端子盤３の端子を何れかの局内側端子盤５の端子と接続することにより、一の加入者宅に一の電話番号が割り当てられることになる。
【００２２】
図２に示すように、接続対象となる目標線路側端子盤３ｔに結線されたジャンパ線８は、この目標線路側端子盤３ｔが属する水平端子盤群４に沿って水平に配線され、この水平端子盤群４と接続対象となる目標局内側端子盤５ｔが属する垂直端子盤群６とが立体交差する位置Ｐｖまで運ばれる。そして、ジャンパ線８は線路側成端部Ｈと局内側成端部Ｖとの間に設けられた整線リング９を介して線路側成端部Ｈ側から局内側成端部Ｖ側に受け渡される。局内側成端部Ｖ側に渡されたジャンパ線８は、目標局内側端子盤５ｔが属する垂直端子盤群６に沿って垂直に配線され、目標局内側端子盤５ｔに結線される。
【００２３】
従って、新たな電話回線を開通させる場合や、ある加入者が局番同一の地域内で転居したり、ある加入者宅の電話番号を変更したりする場合には、加入者宅から布設された線路ケーブルが成端されている線路側端子盤３と、新たな電話番号に対応する局内側端子盤５との間にジャンパ線８を配線する必要がある。この場合、目標線路側端子盤３ｔと目標局内側端子盤５ｔとの間に距離に相当する長さのジャンパ線８を、目標線路側端子盤３ｔに対応する位置Ｐｈと目標局内側端子盤５ｔに対応する位置Ｐｖとまでに搬送しておけば、ジャンパ線接続作業が大幅に省力化される。すなわち、作業員は、搬送されたジャンパ線８を目標線路側端子盤３ｔと結線すると共に、本配線盤１の局内側成端部Ｖ側でジャンパ線８を配線し、目標局内側端子盤５ｔと結線しさえすればよいことになる。
【００２４】
このジャンパ線搬送装置１０は、図１に示すように、ジャンパ線８を搬送するための手段として、線路側成端部Ｈ側で各水平端子盤群４毎に設けられた第一搬送機構１１及び第二搬送機構１２を備える。これにより、ジャンパ線搬送装置１０を用いれば、ジャンパ線搬送作業を各水平端子盤群単位で行うことができるので、ジャンパ線接続作業に要する時間及び労力が大幅に低減され、ジャンパ線接続作業を極めて効果的に省力化することができる。第一搬送機構１１と第二搬送機構１２とは、ほぼ同一の構造を有しており、何れも所定間隔を隔てて設けられた支持フレーム１３を介して架枠２に固定されている（図３（ａ）及び図４参照）。
【００２５】
第一搬送機構１１及び第二搬送機構１２は、架枠２を形成するフレームのうち一群の水平端子盤群４の上方に位置するフレームの下方に固定される。これにより、架枠２を形成するフレームの下方の空間部を有効利用することができると共に、第一搬送機構１１及び第二搬送機構１２が、フレーム上にジャンパ線８を載置する際に邪魔になることはない。架枠２に固定された第一搬送機構１１は、水平端子盤群４に沿って延在しており、第二搬送機構１２は、図３（ｂ）に示すように、第一搬送機構１１に並設されている。
【００２６】
第一搬送機構１１及び第二搬送機構１２は、図４に示すように、断面長方形をもったケーシング部１４を含む。このケーシング部１４の内部には、軌道１５が配されている。この軌道１５は、ケーシング部１４を形成する上壁の内面に固定されており、第一搬送機構１１（第二搬送機構１２）の長手方向（水平端子盤群４の延在方向）に沿って延在する。また、ケーシング部１４の底部には、図３及び図４に示すように、所定間隔を隔てて位置決めポスト２０が設けられている。位置決めポスト２０は、金属等の棒体をコの字形状に折り曲げて形成されている。位置決めポスト２０の配列ピッチは、各線路側端子盤３に対して１つの位置決めポスト２０が位置するように定められている。
【００２７】
ケーシング部１４の内部には、無端ベルト１６が配されている。この無端ベルト１６も、軌道１５と同様に、水平端子盤群４の延在方向に沿うように張設されている。無端ベルト１６は、第一搬送機構１１（第二搬送機構１２）の一方の端部に設けられたベルト駆動部１７によって駆動される。また、無端ベルト１６の両端部には、フォトインタラプタ又はマイクロスイッチ等のリミットスイッチ（図示せず）が設けられている。更に、ケーシング部１４の内側部には、無端ベルト１６の上側水平部分を案内するガイドホイール１８が所定間隔を隔てて配設され、ケーシング部１４の両端には、無端ベルト１６に張力を加えるためのテークアップ装置１７ａが設けられている。
【００２８】
無端ベルト１６は、ケーシング部１４内で水平端子盤群４に属する各線路側端子盤３に沿うように往復移動させられる。ここで、第一搬送機構１１に含まれる無端ベルト１６には、ジャンパ線８の先端を保持可能な第一移動体２１が固定されている。また、第二搬送機構１２に含まれる無端ベルト１６には、ジャンパ線８を摺動自在に保持可能な第二移動体２２が固定されている。すなわち、第一移動体２１及び第二移動体２２は、連結部材２３を含み、連結部材２３の一端が、無端ベルト１６の下側水平部分に固定されている。一方、連結部材２３の他端側には、軌道１５の側部を転動する一対のガイドローラ２４が取り付けられている。
【００２９】
このように、第一移動部材２１及び第二移動部材２２を、無端ベルト１６に固定させると共に、無端ベルト１６に並設された軌道１８に垂設することにより、第一移動体２１及び第二移動体２２を駆動するための機構が特に高さ方向においてコンパクト化され、第一搬送機構１１及び第二搬送機構１２自体もコンパクト化される。従って、第一搬送機構１１及び第二搬送機構１２を架枠２を形成するフレームの下方に容易に収容することができる。また、無端ベルト１６等を含む巻掛け伝動機構と第一移動部材２１及び第二移動部材２２とを離隔することが容易になる。無端ベルト１６を往復駆動させれば、第一移動部材２１及び第二移動体２２は、軌道１５、すなわち、水平端子盤群４に属する各線路側端子盤３に沿って往復移動する。なお、第一移動体２１及び第二移動体２２の駆動制御は、図示しない搬送機構制御部によって行われる。
【００３０】
連結部材２３の裏面には、鉛直下方に延びる支持部材２５が固定されている。一方、ケーシング部１４の底壁には、軌道１５と対向し、第一搬送機構１１の長手方向（水平端子盤群４の延在方向）に沿って延在するスリット１９が形成されている。支持部材２５の先端は、このスリット１９を介してケーシング部１４の外部に突出する。ケーシング部１４の外部に突き出た支持部材２５の先端には、差込ブロック２６が固定されている。すなわち、第一移動体２１と第二移動体２２を形成する要素のうち、差込ブロック２６のみがケーシング部１４の外部に露出される。差込ブロック２６は、断面Ｃ字形状をもち、縦８ｃｍ、横５ｃｍ程度の寸法を有する。
【００３１】
ここで、第一移動体２１は、ジャンパ線８の先端を保持させる第一ジャンパ線保持体３１を有する。この第一ジャンパ線保持体３１の上面側には、図５に示すように、薄板状の挿入部３３が形成されており、挿入部３３の上面中央部には、ボールプランジャ３３ａが設けられている。この挿入部３３を差込ブロック２６に挿入すると、ボールプランジャ３３ａが差込ブロック２６の内部上面に形成された孔部と係合する。これにより、第一ジャンパ線保持体３１は、差込ブロック２６に対して着脱自在となる。また、第一ジャンパ線保持体３１の一隅部には、概略Ｕ字形状を呈する掛止部材３４が取付ピン３４ａを介して回動自在に支持されている。掛止部材３４の内側（挿入部３３側）に位置する一方の遊端部には、他方の遊端部に向けて延びる板ばね３５が固定されている。また、掛止部材３４の内側の遊端部には、コイルばね３６の一端が接続されており、このコイルばね３６の他端は、第一ジャンパ線保持体３１の後部に固定されている。
【００３２】
第一ジャンパ線保持体３１を差込ブロック２６に装着した状態で、無端ベルト１６を駆動して第一移動部材２１を移動（前進）させた場合、掛止部材３４の側部前方は、位置決めポスト２０と当接する（図４参照）。これにより、掛止部材３４は、内方（挿入部３３）に向けて取付ピン３４ａ周りに回動する。そして、１つの位置決めポスト２０を通過すると、掛止部材３４は、コイルばね３５の付勢力によってもとの位置に戻る。従って、掛止部材３４は、第一移動体２１が前進する際には位置決めポスト２０とは係合しない。これに対して、第一移動体２１を逆方向に移動（後進）させた場合、位置決めポスト２０は、掛止部材３４に設けられた板ばね３５と当接する。これにより、位置決めポスト２０は、板ばね３５を押しのけると共に、掛止部材３４の２つの遊端部と板ばね３５とによって形成される空間部分に入り込む。従って、第一移動部材２１が後進すると、掛止部材３４は、最初に当接する位置決めポスト２０と係合することになる。
【００３３】
更に、第一ジャンパ線保持体３１の裏面には、図４及び図６に示すように、タグ差込部３７が形成されている。このタグ差込部３７には、図６に示すように、ジャンパ線８の先端を固定させたタグ３９が挿入され、これにより、ジャンパ線８は第一ジャンパ線保持体３１によって保持される。図７に示すように、タグ３９は、その中央下部に形成された円孔部３９と、この円孔部３９ａから下縁まで延びるスリットとを有する。円孔部３９ａの外径は、ジャンパ線８の外径よりも多少小さいものとされている。ジャンパ線８は、ビニル等の軟質材からなる外被によって覆われているので、スリットを介して円孔部３９ａに容易にはめ込まれ、タグ３９に固定される。
【００３４】
また、同図に示すように、タグ３９には、ジャンパ線接続作業を行う際に用いる情報が記録されている。具体的には、目標線路側端子盤３ｔ及び目標局内側端子盤５ｔの本配線盤１上におけるアドレスや、作業管理番号、作業指定日時等からなるアドレス情報３９ｂを記録しておく。加えて、タグ３９には、ジャンパ線８と各端子３、５との結線状況を管理するためのバーコード３９ｃを記録しておくとよい。これにより、作業員は、ジャンパ線８を各端子盤３、５と結線させる際に、タグ３９に記録されたアドレス情報３９ｂを目視によって、又はバーコード読取装置等を用いて読み取りながら作業を進めることができるので、誤結線が防止されると共に、作業効率を向上させることができる。なお、タグ３９は、硬質の金属、プラスチック等によって形成してもよく、また、軟質プラスチック、厚紙等によって形成することも可能である。
【００３５】
一方、第二移動体２２は、ジャンパ線８を摺動自在に保持させる第二ジャンパ線保持体３２を有する。この第二ジャンパ線保持体３２も、第一ジャンパ線保持体３１と同様に、第二移動体２２の差込ブロック２６に着脱自在であると共に、第二移動体２２が前進する際には位置決めポスト２０と係合せず、第二移動部材２２が後進する際には位置決めポスト２０と係合する掛止部材３４を有する。また、第二ジャンパ線保持体３２の裏面には、図６に示すように、３個のガイドローラ３８が設けられている。これら３個のガイドローラ３８は、第一ジャンパ線保持体３１側の一隅部（同図における下側の隅部）で、直角三角形の頂点をなすように配される。
【００３６】
第一ジャンパ線保持体３１に先端を保持させたジャンパ線８は、第一ジャンパ線保持体３１から第二ジャンパ線保持体３２に向けて引きまわされる。そして、ジャンパ線８は、図６に示すように、第一ジャンパ線保持体３１側の側縁部に位置する２個のガイドローラ３８の間を通過させられると共に、第一ジャンパ線保持体３１側の下縁部に位置する２個のガイドローラ３８の間を通過させられる。これにより、ジャンパ線８は、第二ジャンパ線保持体３２によって摺動自在に保持される。
【００３７】
上述した第一移動体２１と第二移動体２２とに対して、所定の長さに設定したジャンパ線８を保持させるジャンパ線供給機構４０の詳細を図８に示す。同図に示すジャンパ線供給機構４０は、ジャンパ線８を収容するジャンパ線収容部４１を含む。このジャンパ線収容部４１は、ジャンパ線８を巻回させたリールをＵ字状を呈する基台に支持させたものである。ジャンパ線収容部４１の側方には、ジャンパ線移載部４２が配される。ジャンパ線移載部４２は、ジャンパ線収容部４１から引き出されたジャンパ線８を移送ビン４４に巻回すると共に、ジャンパ線８を所定長さに切断するものである。
【００３８】
ジャンパ線８は、ジャンパ線収容部４１から引き出されると共に、ジャンパ線収容部４１とジャンパ線移載部４２との間に設けられたパイプ４３に挿通される。ジャンパ線移載部４２には、パイプ４３の側方に所定距離を隔てて配された巻取モータ４５が含まれる。この巻取モータ４５の回転軸には移送ボビン４４が取付け可能となっている。ジャンパ線収容部４１から引き出されたジャンパ線８の先端は、移送ボビン４４の鍔部４４ａに形成されたスリットに差し込まれる。この状態で巻取モータ４５を回転駆動することにより、移送ボビン４４にジャンパ線８を巻回する。また、巻取モータ４５に取り付けられている移送ボビン４４の上方には、タグ集積部４６が水平に配されている。
【００３９】
タグ集積部４６には、予めアドレス情報３９ｂ、バーコード３９ｃ等が記録されたタグ３９が垂直に複数集積されている。タグ集積部４６に収容されている各タグ３９の円孔部３９ａは、ジャンパ線収容部４１と巻取モータ４５に取り付けられている移送ボビン４４との間に張られているジャンパ線８の真上に位置する。また、タグ集積部４６には、ジャンパ線収容部４１側にタグ３９を一枚分押出し可能なタグ押出片４６ａが設けられている。タグ集積部４６に収容されているタグ３９は、タグ集積部４６の上方に配されたタグ押下部４７によって、ジャンパ線８と移送ボビン４４とに対して取り付けられる。タグ押下部４７には、図示しないエアシリンダが内蔵されており、当接片４７ａを上下動させることができる。この当接片４７ａは、下降した際に、タグ集積部４６の最前列（最もジャンパ線収容部４１寄り）に位置するタグ３９の上縁部と当接する。
【００４０】
ここで、図７に示すタグ３９は、移送ボビン４４の互いに対向し合う鍔部４４ａ間の長さと概略同一の横幅を有する。従って、タグ押下部４７を作動させ、当接片４７ａを介してタグ３９を下方に押し下げれば、図９に示すように、タグ３９の円孔部３９ａにジャンパ線８が嵌まり込むと共に、タグ３９が移送ボビン４４の鍔部４４ａ同士の間に嵌まり込む。これにより、ジャンパ線８にタグ３９が取り付けられると共にタグ３９が移送ボビン４４に固定される。なお、タグ集積部４６は、図８に示すように、ジャンパ線８の延在方向と直交する方向に移動可能とするとよい。これにより、タグ３９の円孔部３９ａをジャンパ線８に対して正確に位置決めすることができると共に、タグ３９を移送ボビン４４の互いに対向し合う鍔部４４ａの間に正確に位置決めすることができる。
【００４１】
巻取モータ４５に取り付けられている移送ボビン４４とパイプ４３との間には、エアチャック４８とエアニッパ４９とが配される。エアニッパ４９は、パイプ４３とエアチャック４６との間に位置する。ジャンパ線８にタグ３９を取り付ける際には、エアチャック４８によってジャンパ線８を把持した上で、タグ押下部４７を作動させる。これにより、ジャンパ線８をタグ３９の円孔部３９ａに確実に嵌め込むことができる。同様に、移送ボビン４８に巻回させられると共にタグ３９が固定されたジャンパ線８を、ジャンパ線収容部４１から切り離す際には、エアチャック４８を作動させ、ジャンパ線８が把持された状態でエアニッパ４９を作動させる。これにより、確実にジャンパ線８を切断することができる。
【００４２】
所定長さに設定されたジャンパ線８が巻回された移送ボビン４４は、図示しない搬送装置によって、ジャンパ線受渡部５０に移送される。このジャンパ線受渡部５０は、図１及び図８に示すように、移送ボビン４４を保持するボビン搬送体５１を有する。このボビン搬送体５１は、本配線盤１の側方に設置され垂直方向に延在するフレーム５２に沿って昇降移動することができる。また、ボビン搬送体５１には、移送ボビン４４に固定されているタグ３９を挟持可能なタグ挟持アーム５３が備えられている。このタグ挟持アーム５３は、ボビン搬送体５１に保持された移送ボビン４４の幅方向に伸縮自在とされている。また、移送ボビン４４の巻回軸と平行に延在する軸周りに回動自在とされると共に、この軸に対して伸縮自在とされている。これにより、タグ挟持アーム５３は、ジャンパ線８が固定されたタグ３９を挟持し、所定の水平端子盤群４まで搬送した移送ボビン４４から、第二ジャンパ線保持体３２のガイドローラ３８にジャンパ線８を保持させると共に、第一ジャンパ線保持体３１のタグ保持部３７にタグ３９を保持させることができる。
【００４３】
このジャンパ線供給機構４０は、図１に示すように、それぞれコンピュータ６０（図１参照）のＣＰＵに接続されている。このＣＰＵには、上述した第一搬送機構２１及び第二搬送機構２２を制御する搬送機構制御部も接続されており、ＣＰＵはジャンパ線搬送装置１０の制御部として機能する。また、ＣＰＵには、各目標線路側端子盤３ｔと各目標局内側端子盤５ｔの本配線盤上におけるアドレスを示すアドレスデータが入力される。このアドレスデータの入力は、図１に示すように、フロッピーディスク６１を介して行うとよい。ＣＰＵは、アドレスデータに基づいて、目標線路側端子盤３ｔと目標局内側端子盤５ｔとを接続するためのジャンパ線８の長さ、移送ボビン４４を搬送すべき水平端子盤群４、第一ジャンパ線保持体３１と第二ジャンパ線保持体３２とを停止させる位置Ｐｈ、Ｐｖ等を求め、ジャンパ線供給機構４０と第一搬送機構１１及び第二搬送機構１２とを制御する。
【００４４】
このように構成されたジャンパ線供給機構４０によれば、ジャンパ線長さを電子的、自動的に設定可能であり、所望長さに設定されたジャンパ線８を目標線路側端子盤３ｔと目標局内側端子盤５ｔとに対して正確に搬送することができる。また、ジャンパ線搬送装置１０の大型化を防止できると共に、既設の本配線盤に対する取付性を一層向上させることができる。なお、ジャンパ線供給機構４０は、予めアドレス情報３９ｂが記録されたタグ３９をタグ集積部４６に収容させるものとして説明したが、これに限られるものでない。すなわち、ジャンパ線供給機構４０にインクジェットプリンタ等を設け、コンピュータ６０に入力されたアドレスデータに基づいてアドレス情報３９ｂを印字するようにしてもよい。この場合、アドレス情報３９ｂは、タグ集積部４７からタグ３９を押し下げる直前に、タグ３９に対して印字するとよい。
【００４５】
次に、上述したジャンパ線搬送装置１０を用いて、ジャンパ線を搬送する手順について説明する。
【００４６】
まず、コンピュータ６０にフロッピーディスク６１を装填し、各目標線路側端子盤３ｔと各目標局内側端子盤５ｔの本配線盤上におけるアドレスを示すアドレスデータを入力する。また、ジャンパ線供給機構４０のジャンパ線移載部４２に含まれる巻取モータ４５の回転軸に移送ボビン４４を取り付ける。更に、ジャンパ線収容部４１からジャンパ線８を引き出し、パイプ４３に挿通させると共にエアニッパ４９とエアチャック４８を経由させ、その先端を移送ボビン４４の鍔部４４ａに形成されたスリットに差し込む。また、各水平端子盤群４毎に配設されている第一移動体２１及び第二移動体２２は、各第一搬送機構１１及び各第二搬送機構１２における初期位置（図１における左端）に移動させておく。
【００４７】
ここで、所定の開始操作をコンピュータ６０のＣＰＵに与えると、ＣＰＵは、巻取モータ４５を駆動させ、これにより、ジャンパ線８はジャンパ線収容部４１から引き出されると共に移送ボビン４４に巻回される。コンピュータ６０のＣＰＵは、目標線路側端子盤３ｔと各目標局内側端子盤５ｔの本配線盤上におけるアドレスを示すアドレスデータと巻取モータ４５の回転数とに基づいて、ジャンパ線８が目標線路側端子盤３ｔと目標局内側端子盤５ｔとを接続するために必要な長さ分（通常、最大で５０ｍ程度）だけ移送ボビン４４に巻回された時点で、巻取モータ４５の回転を停止させる。
【００４８】
続いて、エアチャック４８が作動され、ジャンパ線８が把持される。この状態で、タグ押下部４７によってタグ集積部４６の最もジャンパ線収容部４１寄りに位置するタグ３９が１枚押し下げられ、タグ３９の円孔部３９ａにジャンパ線８が嵌め込まれる共に、タグ３９が移送ボビン４４の互いに対向し合う鍔部４４ａの間に嵌め込まれる。１枚のタグがジャンパ線８及び移送ボビン４６に取り付けられると、タグ押出片４６ａが作動される。さらに、エアチャック４９が作動され、移送ボビン４８に巻回させられると共にタグ３９が固定されたジャンパ線８は、ジャンパ線収容部４１から切り離される。これにより、移送ボビン４４には、所定長さに設定されたジャンパ線８が巻回され、タグ３９がジャンパ線８と移送ボビン４４とに取り付けられる。
【００４９】
移送ボビン４４は、図示しない搬送装置によって、ジャンパ線受渡部５０に移送され、移送ボビン４４に取り付けられたタグ３９は、タグ挟持アーム５３によって挟持される。コンピュータ６０のＣＰＵは、目標線路側端子盤３ｔと各目標局内側端子盤５ｔの本配線盤上におけるアドレスを示すアドレスデータに基づいて、ジャンパ線受渡部５０を上昇させる。移送ボビン４４は、最初にジャンパ線８を搬送すべき目標線路側端子盤３ｔが属する水平端子盤群４に設けられている第一移動体２１及び第二移動体２２の側方まで搬送される。
【００５０】
タグ３９を挟持したタグ挟持アーム５３は、まず、上下方向に収縮させられると共に、第一搬送機構１１及び第二搬送機構１２に向けて回動させられる。これにより、ジャンパ線８に固定されたタグ３９は、移送ボビン４４から取り外されると共に、水平方向に延在する。次に、タグ挟持アーム５３は、移送ボビン４４の幅方向に沿って移動させられ、第二移動体２２の第二ジャンパ線保持体３２と対向する。そして、タグ挟持アーム５３は、第二ジャンパ線保持体３２に向けて伸長させられると共に、第一ジャンパ線保持体３１に向けて移送ボビン４４の幅方向に沿って移動させられる。これにより、ジャンパ線８は、第二ジャンパ線保持体３２のガイドローラ３８によって摺動自在に保持される。そして、タグ挟持アーム５３は、第一ジャンパ線保持体３１と対向させられた後、第一ジャンパ線保持体３１に向けて伸長させられる。これにより、ジャンパ線８は、第二移動体２２から、第一移動体２１に引きまわされると共に、ジャンパ線８の先端に固定されたタグ３９は、第一ジャンパ線保持体３１のタグ保持部３７によって保持される。
【００５１】
図１０（ａ）に示すように、ジャンパ線８が第二ジャンパ線保持体３２によって摺動自在に保持されると共に、ジャンパ線８の先端が第一ジャンパ線保持体３１によって保持されると、コンピュータ６０のＣＰＵは、第一搬送機構１１及び第二搬送機構１２を制御する搬送機構制御に所定の指示を与える。搬送機構制御部は、コンピュータ６０に入力されたアドレスデータに基づいて、第一移動体２１と第二移動体２２とを水平端子盤群４に沿ってそれぞれ独立に移動させる。第一移動体２１と第二移動体２２とは、移動開始当初は、各線路側端子盤３に沿って並走する。
【００５２】
ジャンパ線８は、第二移動体２２によって案内された状態で、第一移動体２１によって牽引され、移動ボビン４４から引き出されながら、線路側端子盤３に沿って移動していく。この際、第一移動体２１及び第二移動体２２のうち、第一ジャンパ線保持体３１及び第二ジャンパ線保持体３２だけが外部に露出しており、無端部ベルト１６等の駆動部はケーシング部１４の内部に収容されているので、第一移動体２１及び第二移動体２２の移動中に、ジャンパ線８が無端ベルト１６等の駆動部と接触して切断されてしまうことが防止される。
【００５３】
図１０（ｂ）に示すように、例えば、目標局内側端子盤５ｔが目標線路側端子盤３ｔよりも初期位置寄りである場合には、まず、第二移動体２２が、目標局内側端子盤５ｔが属する垂直端子盤群６と目標線路側端子盤３ｔが属する水平端子盤群４とが立体交差する位置Ｐｖに対応する位置決めポスト２０の多少前方まで移動させられる。次に、停止させられた第二移動体２２は、逆方向に移動（後進）させられる。これにより、第二ジャンパ線保持体３２の掛止部材３４が、目標局内側端子盤５ｔに対応する位置決めポスト２０と係合する。そして、第二移動体２２は、更に逆方向に移動させられて初期位置に戻る。この際、第二ジャンパ線保持体３２は第二移動体２２から離脱する。
【００５４】
一方、第二ジャンパ線保持体３２の離脱作業中、第一移動体２１は更に走行を続ける。この間、ジャンパ線８は、第一移動体２１によって牽引されると共に、第二ジャンパ線保持体３２のガイドローラ３８間を摺動し、第二ジャンパ線保持体３２によって案内されている。そして、第一移動体２１は、目標線路側端子盤３ｔに対応する位置決めポスト２０の多少前方まで移動（前進）させられる。停止させられた第一移動体２１は、逆方向に移動（後進）させられ、これにより、第一ジャンパ線保持体３１の掛止部材３４が、目標線路側端子盤３ｔに対応する位置決めポスト２０と係合する。また、ジャンパ線８は、第二ジャンパ線保持体３２と共に、目標局内側端子盤５ｔに対応する位置に位置決めされることになる。そして、第一移動体２１は、更に逆方向に移動させられて初期位置に戻る。この際、第一ジャンパ線保持体３１は第一移動体２１から離脱し、ジャンパ線８の先端は、第一ジャンパ線保持体３１と共に、目標線路側端子盤３ｔ付近に位置決めされることになる。
【００５５】
また、例えば、目標線路側端子盤３ｔが目標局内側端子盤５ｔよりも初期位置寄りである場合には、最初に第一移動体２１を目標線路側端子盤３ｔに対応する位置まで移動させ、第一ジャンパ線保持体３１を第一移動体２１から離脱させる。一方、第二移動体２２は更に、目標局内側端子盤５ｔが属する垂直端子盤群６と目標線路側端子盤３ｔが属する水平端子盤群４とが立体交差する位置Ｐｖに対応する位置決めポスト２０の多少前方まで移動させられる。この間、ジャンパ線８は、第二ジャンパ線保持体３２のガイドローラ３８間を摺動し、第二移動体２２によって案内された状態で牽引される。そして、第二ジャンパ線保持体３２は、第二移動体２２から離脱させられる。
【００５６】
上述したジャンパ線搬送作業を、各水平端子盤群４毎について行えば、本配線盤１の線路側成端部Ｈにおける各目標線路側端子盤３ｔと目標局内側端子盤５ｔとに対応させたジャンパ線８の搬送が完了する。これにより、本配線盤１の線路側成端部Ｈ側でジャンパ線８を配線する際に、接続に用いるジャンパ線８の計尺、及び、接続対象となる端子盤間へのジャンパ線８の搬送という行為が不要となる。すなわち、作業員は、第一ジャンパ線保持体３１からジャンパ線８を取り外し、線路側端子盤３とジャンパ線８とを結線させると共に、第二ジャンパ線保持体３２からジャンパ線８を取り外し、本配線盤１の局内側成端部Ｖ側で配線し、局内側端子盤５とジャンパ線８とを結線させればよい。この結果、本配線盤１におけるジャンパ線接続作業に要する労力を大幅に低減させることができ、ジャンパ線接続作業を極めて効果的に省力化することができる。また、各水平端子盤群４に対するジャンパ線搬送作業を、並行して行うことにより、ジャンパ線搬送・敷設作業に要する時間を効果的に短縮化することができる。
【００５７】
なお、第二搬送機構１２に関しては、第二ジャンパ線保持体３２には掛止部材３４が設けられ、ジャンパ線８を目標局内側端子盤５ｔに対応させて搬送する際に、第二ジャンパ線保持体３２を第二移動体２２から離脱させるものとして説明したが、これに限られるものではない。すなわち、第二ジャンパ線保持体３２を第二移動体２２に固定するか、第二移動体２２自体をジャンパ線８を摺動自在に保持可能なものとしてもよい。この場合、移動させた第二移動体２２を、目標局内側端子盤５ｔが属する垂直端子盤群６と目標線路側端子盤３ｔが属する水平端子４板群とが立体交差する位置Ｐｖで停止させる。そして、目標局内側端子盤５ｔに対するジャンパ線８の配線、結線を行うまでは、ジャンパ線８を第二移動体２２に保持させたままにしておく。
【００５８】
図１１は、ジャンパ線を巻回させた移送ボビン及びジャンパ線にタグを取り付ける方式の他の例を示す平面図である。この場合は、同図に示すように、長方形の薄板状に形成されたタグ３９Ａが用いられる。タグ３９Ａには、その中央部付近に形成された円孔部３９ｄと、この円孔部３９ａから下縁まで延びるスリット３９ｅとが形成されている。円孔部３９ｄの内径は、ジャンパ線８の外径よりも多少小さいものとされ、スリット３９ｅの幅は、移送ボビン４４の鍔部４４ａの厚さと概略同一とされている。ジャンパ線８は、このスリット３９ｅを介して円孔部３９ａにはめ込まれ、タグ３９Ａに固定される。また、タグ３９Ａのスリット３９ｅには、移送ボビン４４の鍔部４４ａに嵌め込まれ、これにより、タグ３９Ａは移送ボビン４４に固定される。
【００５９】
図１１に示す方式で、移送ボビン４４及びジャンパ線８にタグ３９Ａを取り付ける場合に用いるジャンパ線供給機構４０Ａに含まれるジャンパ線移載部４２Ａを図１２に示す。このジャンパ線移載部４２Ａでは、タグ集積部４６及びタグ押下部４７が斜めに傾けられた状態で、巻取モータ４５に取り付けられている移送ボビン４４の上方に配されている。すなわち、タグ３９Ａは、図１２において移送ボビン４４の左上方からタグ押下部４７によって押し下げられる。そして、ジャンパ線８がタグ３９Ａの円孔部３９ｄに嵌め込まれると共に、タグ３９Ａのスリット３９ｅに移送ボビン４４の鍔部４４ａがはまり込む。この場合も、タグ集積部４６は、ジャンパ線８の延在方向と直交する方向に移動可能とするとよく、これにより、タグ３９Ａの円孔部３９ａとジャンパ線８、及び、タグ３９Ａのスリット３９ｅと移送ボビン４４の鍔部４４ａとの位置合わせを正確に行うことができる。
【００６０】
また、ジャンパ線供給機構４０Ａに含まれるジャンパ線受渡部５０Ａを図１３に示す。同図に示すように、ジャンパ線受渡部５０Ａに備えられたボビン搬送体５１Ａは、移送ボビン４４を挟持すると共に、本配線盤１の側方に設置されて垂直方向に延在するフレーム５２Ａに沿って昇降移動することができる。更に、タグ挟持アーム５３Ａは、移動ボビン４４に対して斜めに取り付けられているタグ３９Ａを挟持し、タグ３９Ａを水平に向けさせた後、第二ジャンパ線保持体３２のガイドローラ３８にジャンパ線８を保持させると共に、第一ジャンパ線保持体３１のタグ保持部３７にタグ３９を保持させる。ジャンパ線８及びタグ３９Ａを第一ジャンパ線保持体３１及び第二ジャンパ線保持体３２に保持させる手順は、上述したタグ挟持アーム５３の場合と同様である。なお、タグ挟持アーム５３Ａは、ボビン搬送体５１と共にフレーム５２Ａに沿って昇降移動する。
【００６１】
このように構成されたジャンパ線供給機構４０Ａによっても、ジャンパ線長さを電子的、自動的に設定可能であり、所望長さに設定されたジャンパ線８を目標線路側端子盤３ｔと目標局内側端子盤５ｔとに対して正確に搬送することができる。また、ジャンパ線搬送装置１０の大型化を防止できると共に、既設の本配線盤に対する取付性を一層向上させることができる。
【００６２】
なお、ジャンパ線供給機構４０及び４０Ａは、移送ボビン４４を垂直方向に搬送するジャンパ線受渡部５０（５０Ａ）を含むものとして説明したが、これに限られるものではない。すなわち、ジャンパ線供給機構を、ジャンパ線収容部とジャンパ線移載部及びタグ挟持アームを一体化させたものとし、このジャンパ線供給機構自体を垂直方向に移動自在としてもよい。また、ジャンパ線供給機構４０及び４０Ａは、一体のタグ挟持アーム５３Ａを各水平端子盤群４に対して移動可能に構成したが、これに限られるものではない。すなわち、タグ挟持アームを複数設けて、各水平端子盤群４毎に配設してもよい。
【００６３】
【発明の効果】
本発明によるジャンパ線搬送装置及びジャンパ線搬送方法は、以上説明したように構成されているため、次のような効果を得る。すなわち、本配線盤の水平端子盤群に沿って往復移動可能な移動体を有する第一搬送機構と第二搬送機構とを設け、所定の長さに設定したジャンパ線を保持する各移動体を移動させることにより、ジャンパ線接続作業、とりわけ、ジャンパ線延線・敷設作業の大幅な省力化が可能となる。また、ジャンパ線と共に所定の情報を記録したタグを端子盤まで搬送することにより、ジャンパ線接続作業の効率化が図られる。
【図面の簡単な説明】
【図１】本発明によるジャンパ線搬送装置の全体構成を示す平面図である。
【図２】本配線盤におけるジャンパ線配線方式を示す斜視図である。
【図３】第一搬送機構及び第二搬送機構を示す平面図である。
【図４】第一搬送機構を示す部分断面図である。
【図５】第一ジャンパ線保持体を示す斜視図である。
【図６】第一ジャンパ線保持体と第二ジャンパ線保持体とにジャンパ線を保持させた状態を示す平面図である。
【図７】タグの一例を示す平面図である。
【図８】図１のジャンパ線搬送装置に含まれるジャンパ線供給機構を示す斜視図である。
【図９】ジャンパ線を巻回させた移送ボビン及びジャンパ線にタグを取り付ける方式の一例を示す平面図である。
【図１０】ジャンパ線の搬送状態を示す平面図である。
【図１１】ジャンパ線を巻回させた移送ボビン及びジャンパ線にタグを取り付ける方式の他の例を示す平面図である。
【図１２】ジャンパ線供給機構に含まれるジャンパ線移載部の他の実施形態を示す平面図である。
【図１３】ジャンパ線供給機構に含まれるジャンパ線受渡部の他の実施形態を示す平面図である。
【図１４】一般的な本配線盤を示す斜視図である。
【符号の説明】
１…本配線盤、３…線路側端子盤（第一端子盤）、３ｔ…目標線路側端子盤３ｔ（目標第一端子盤）、４…水平端子盤群、５…局内側端子盤（第二端子盤）、５ｔ…目標局内側端子盤５ｔ（目標第二端子盤）、６…垂直端子盤群、８…ジャンパ線、１０…ジャンパ線搬送装置、１１…第一搬送機構、１２…第二搬送機構、１６…無端ベルト、２０…位置決めポスト、２１…第一移動体、２２…第二移動体、３１…第一ジャンパ線保持体、３２…第二ジャンパ線保持体、３４…掛止部材、３７…タグ差込部、３８…ガイドローラ、３９、３９Ａ…タグ、４０、４０Ａ…ジャンパ線供給機構、４１…ジャンパ線収容部、４２…ジャンパ線移載部、４４…移送ボビン、４６…タグ集積部、４７…タグ押下部、５０…ジャンパ線受渡部、５１、５１Ａ…ボビン搬送体、５３、５３Ａ…タグ挟持アーム、６０…コンピュータ、Ｈ…線路側成端部、Ｖ…局内側成端部。
【図１】
0003905988.tif 000002
【図２】
0003905988.tif 000003
【図３】
0003905988.tif 000004
【図４】
0003905988.tif 000005
【図５】
0003905988.tif 000006
【図６】
0003905988.tif 000007
【図７】
0003905988.tif 000008
【図８】
0003905988.tif 000009
【図９】
0003905988.tif 000010
【図１０】
0003905988.tif 000011
【図１１】
0003905988.tif 000012
【図１２】
0003905988.tif 000013
【図１３】
0003905988.tif 000014
【図１４】
0003905988.tif 000015